(57)【要約】【課題】空中浮遊時間を長くでき、軽量化でき、かつ電波反射性能の低下を抑制できるコーナーリフレクタを提供する。【解決手段】３つの環状バルーン１２、パラシュート１３、複数の電波反射膜１６、及びガス供給装置２０を備える。ガス供給装置２０は、環状バルーン１２にガスを注入し、環状バルーン１２はガス圧で膨張し同一の中心Ｏを共有して互いに直交する。パラシュート１３（傘体１４）は、柔軟性を有し、環状バルーン１２の降下を遅らせる。さらに、上端２２ａがパラシュート１３に連結され、下端２２ｂがガス供給装置２０に連結された複数の吊索２２を有する。パラシュート１３は、吊索２２の上端２２ａと異なる位置で、環状バルーン１２に連結されている。【選択図】図４
2019100614.tif 000002
【特許請求の範囲】
【請求項１】
内部にガスが供給されることにより膨張し、同一の中心を共有して互いに直交する３つの環状バルーンと、
柔軟性を有し、前記環状バルーンの降下を遅らせるパラシュートと、
前記環状バルーンの内側に取り付けられた複数の電波反射膜と、
前記環状バルーンに前記ガスを注入するガス供給装置と、を備え、
さらに、上端が前記パラシュートに連結され、下端が前記ガス供給装置に連結された複数の吊索を有し、
前記パラシュートは、前記吊索の前記上端と異なる位置で、前記環状バルーンに連結されている、コーナーリフレクタ。
【請求項２】
前記環状バルーンは、前記パラシュートの頂点と前記中心を結ぶ中心軸を含む第１平面上に位置する第１環状バルーンと、
前記中心軸に対し１０度以上、８０度以下の平面上に位置する第２環状バルーン及び第３環状バルーンと、からなる、請求項１に記載のコーナーリフレクタ。
【請求項３】
前記パラシュートは、前記環状バルーンの一部に覆い被さるように取り付けられ、前記環状バルーンの膨張により展張する傘体である、請求項２に記載のコーナーリフレクタ。
【請求項４】
前記傘体は、前記頂点と、前記環状バルーンに近接してその上部を囲む傘体側部と、該傘体側部の下端部に位置し内側が開口した傘体外縁部とを有し、
前記傘体は、前記第２環状バルーンと前記第３環状バルーンとが交差する位置で前記環状バルーンに連結され、
前記吊索の前記上端は、前記第１環状バルーンの前記第１平面上において、前記傘体外縁部に連結されている、請求項３に記載のコーナーリフレクタ。
【請求項５】
前記吊索の中間部が位置する前記第２環状バルーンと前記第３環状バルーンの外縁部に吊索ガイドを有し、
該吊索ガイドは、前記吊索が抵抗無く通過できる中空穴を有する、請求項４に記載のコーナーリフレクタ。
【請求項６】
前記吊索の前記上端は、前記第２環状バルーンと前記第３環状バルーンとが交差する位置又はその上方で前記傘体に連結され、
前記傘体は、前記第１環状バルーンの前記第１平面上において、前記第１環状バルーンの外周部に連結されている、請求項３に記載のコーナーリフレクタ。
【請求項７】
複数の前記電波反射膜は、前記環状バルーンの膨張によりその外縁部が外方に展張されて、前記中心を共有する８つの電波反射領域を構成し、各電波反射領域は、それぞれ互いに直交する３つの電波反射面を有する、請求項１に記載のコーナーリフレクタ。
【請求項８】
前記ガス供給装置は、前記パラシュートの頂点と前記中心を結ぶ中心軸の延長上であって前記環状バルーンの下方に設けられ、前記環状バルーンの膨張時に前記中心軸を鉛直近傍に保持するためのウエイトとして機能する、請求項１に記載のコーナーリフレクタ。
【発明の詳細な説明】
【技術分野】
【０００１】
本発明は、電波を反射することで、ミサイルに対するおとり（デコイ）として機能するコーナーリフレクタに係り、さらに詳しくは、ガス発生装置を傘体から吊下げるコーナーリフレクタに関する。
【背景技術】
【０００２】
図１は、コーナーリフレクタの原理図である。
コーナーリフレクタは、互いに直交する３つの電波反射膜１からなる。この図において、原点Ｏから互いに直交して延びる３軸をＸ，Ｙ，Ｚ軸とする。３つの電波反射膜１は、Ｘ−Ｚ平面、Ｘ−Ｙ平面、及びＹ−Ｚ平面にそれぞれ平面状に設けられている。電波反射膜１の形状は、この図では三角形であるが、その他の形状、例えば、四分円（円を互いに垂直な直径によって四等分した形状）であってもよい。
【０００３】
電波反射膜１は、その表面に入射した電波を全反射する機能を有する。この図において、三角形ＡＢＣの範囲（この例では、Ｘ−Ｚ平面）に入射した電波２は、例えばａ−ｂ−ｃ点で全反射し、入射してきた方向に出射する。これにより、コーナーリフレクタに対し、どの方向から電波２が入射しても、コーナーリフレクタによって、電波２を入射方向に反射させることができる。
【０００４】
コーナーリフレクタは、船舶、飛翔体、地上などから放出され、その後、空中で展開する。
従って、例えば、空中で展開したコーナーリフレクタに、追尾用レーダ装置やミサイルのレーダシーカから電波が入射すると、コーナーリフレクタは、電波を入射方向に反射させることができる。これにより、コーナーリフレクタをレーダのおとりにすることができる。
【０００５】
図１に示したコーナーリフレクタの場合、電波２が三角形ＡＢＣの範囲から外れると電波を反射する機能が発揮できない。そこで、多方向からの電波に対し機能するように、複数のコーナーリフレクタを組み合わせたコーナーリフレクタが提案されている（例えば、特許文献１）。
【０００６】
図２は、特許文献１に開示されたレーダデコイ３の模式図である。
特許文献２のレーダデコイ３は、降下を遅らせる膨らんだキャノピー４を有するパラシュート５に吊下げられている。キャノピー４は、内側、外側、頂点４ａ、及び直径４ｂと外周部４ｃを有する底部開口６とを有する。複数の吊下げライン７の上端部７ａが間隔を開けて外周部４ｃに固定連結されて吊下げ錘８を保持し、吊下げ錘８は複数の吊下げライン７の下端部７ｂに固定連結されている。
【先行技術文献】
【特許文献】
【０００７】
【特許文献１】国際公開第２００５／０３６９４１号パンフレット
【発明の概要】
【発明が解決しようとする課題】
【０００８】
コーナーリフレクタは、長時間敵を欺瞞するために、空中に浮遊する時間（空中浮遊時間）を長くする必要がある。
そのため、特許文献１のレーダデコイ３は、キャノピー４を有するパラシュート５に吊下げられた吊下げ錘８を備え、頂点４ａと底部開口６の中間のキャノピー４の内側にレーダ反射板９が配置されている。
【０００９】
特許文献１において、レーダ反射板９は、複数の反射パネルを有し、各反射パネルは、外周部４ｃに連結され、少なくとも２つの反射パネルは、頂点４ａに連結されている。
【００１０】
図１に示したように、コーナーリフレクタを構成する３つの電波反射膜１は、互いに直交して位置することで、その機能（どの方向から電波２が入射しても、電波２を入射方向に反射させる機能）を発揮する。
しかし、３つの電波反射膜１の相対角度が、９０度（直交）からずれると、コーナーリフレクタの機能（電波反射性能）は大幅に低下する。
【００１１】
上述した特許文献１のレーダデコイ３の場合、吊下げ錘８の重量が吊下げライン７を介してキャノピー４に作用するため、吊下げ錘８の重量により空中におけるキャノピー４の形状が変形する（歪む）。
そのため、キャノピー４の頂点４ａと外周部４ｃに連結された反射パネル９の相対角度を維持するためには、反射パネルの強度と剛性を高める必要がある。その結果、反射パネルの重量が大きくなり、レーダデコイ３の軽量化が困難である問題点があった。
【００１２】
本発明は、上述した問題点を解決するために、創案されたものである。すなわち、本発明の目的は、空中浮遊時間を長くでき、軽量化が可能であり、かつ電波反射性能の低下を抑制することができるコーナーリフレクタを提供することにある。
【課題を解決するための手段】
【００１３】
本発明によれば、内部にガスが供給されることにより膨張し、同一の中心を共有して互いに直交する３つの環状バルーンと、
柔軟性を有し、前記環状バルーンの降下を遅らせるパラシュートと、
前記環状バルーンの内側に取り付けられた複数の電波反射膜と、
前記環状バルーンに前記ガスを注入するガス供給装置と、を備え、
さらに、上端が前記パラシュートに連結され、下端が前記ガス供給装置に連結された複数の吊索を有し、
前記パラシュートは、前記吊索の前記上端と異なる位置で、前記環状バルーンに連結されている、コーナーリフレクタが提供される。
【発明の効果】
【００１４】
上記本発明によれば、パラシュートが、環状バルーンの降下を遅らせるので、コーナーリフレクタが空中浮遊時間を長くできる。
【００１５】
また、パラシュートは、吊索の上端と異なる位置で、環状バルーンに連結されているので、ガス供給装置の重量によりパラシュートの一部が変形しても、環状バルーンに連結されたパラシュートの位置は、パラシュートが柔軟性を有するためほとんど変形しない。
これにより、環状バルーン及びその内側に取り付けられた複数の電波反射膜の変形を抑えることができ、電波反射性能の低下を抑制することができる。
【００１６】
従って、環状バルーン及び電波反射膜を、強度と剛性の低い軽量材で構成することができ、空中浮遊時間を長くでき、軽量化が可能であり、かつ電波反射性能の低下を抑制することができる。
【図面の簡単な説明】
【００１７】
【図１】コーナーリフレクタの原理図である。
【図２】特許文献１に開示されたコーナーリフレクタの模式図である。
【図３】本発明によるコーナーリフレクタの全体構成図である。
【図４】本発明によるコーナーリフレクタの第１実施形態を示す側面図である。
【図５】コーナーリフレクタのＲＣＳ特性を示す図である。
【図６】本発明によるコーナーリフレクタの第２実施形態を示す側面図である。
【図７】コーナーリフレクタの作動シーケンス図である。
【発明を実施するための形態】
【００１８】
以下、本発明の好ましい実施形態を図面に基づいて説明する。なお、各図において共通する部分には同一の符号を付し、重複した説明を省略する。
【００１９】
図３は、本発明によるコーナーリフレクタ１０の全体構成図である。
この図において、コーナーリフレクタ１０は、３つの環状バルーン１２、パラシュート１３、複数の電波反射膜１６、及びガス供給装置２０を備える。
【００２０】
３つの環状バルーン１２は、内部にガスが供給されることにより膨張し、同一の中心Ｏを共有して互いに直交する。３つの環状バルーン１２は、それぞれ一定の直径ｄを有する中空チューブであり、中心Ｏを中心とする円環状（ドーナツ状）に形成されている。
【００２１】
環状バルーン１２は、内部にガスが供給されると、ガス圧で膨張して環状になる構成を有している。
この環状バルーン１２は、他の形状のバルーン（例えば、球状バルーン）に比べ格段に少ないガス量でコーナーリフレクタ１０を展張することが可能になる。そのため、コーナーリフレクタ１０の展張に要する時間を短縮することができる。
なお、環状バルーン１２は、好ましくは、ポリオレフィンやポリ塩化ビニルなどのプラスチックフィルムからなる。
また、好ましくは、環状バルーン１２の外周を拘束用繊維で包むことによって、環状バルーン１２が所定の限界体積以上に膨張することを抑制することが望ましい。
【００２２】
パラシュート１３は、柔軟性を有し、環状バルーン１２の降下を遅らせる機能を有する。
この例で、パラシュート１３は、環状バルーン１２の一部に覆い被さるように取り付けられ、環状バルーン１２の膨張により展張する傘体１４である。
なお、傘体１４の材質は、従来のパラシュートで用いられているナイロン等であることが好ましい。
【００２３】
傘体１４は、その頂点１５と、３つの環状バルーン１２に近接してその上部を囲む傘体側部１４ｂと、傘体側部１４ｂの下端部に位置し内側が開口した傘体外縁部１４ｃとを有する。
【００２４】
傘体１４は、この例においては、展開時においては半球形状であり、環状バルーン１２の外壁に取り付けられており、環状バルーン１２の膨張に伴って展張されるようになっている。
環状バルーン１２の形状が球状でない場合においては、傘体１４は、環状バルーン１２の外壁に沿う形状からなるものであってもよい。
【００２５】
図３において、傘体１４は、頂点１５と中心Ｏを結ぶ中心軸１７を中心に回転するように、その周囲に内側から外側に向けて周方向に貫通する通気口１４ａを有する。
通気口１４ａは、環状バルーン１２（すなわちコーナーリフレクタ１０）の鉛直落下時における水平方向に向けた形で設けられている、
【００２６】
この例において通気口１４ａは４つ設置されているが、１つ以上であればよい。ただし、２つ以上設置する場合には、コーナーリフレクタ１０の旋回を安定的に行うために、コーナーリフレクタ１０の鉛直落下時において全ての通気口１４ａが水平方向に向くようにし、かつ、等間隔をもって設置することが望ましい。
【００２７】
通気口１４ａは、例えば、複数の平面状部材（図示しない）を縫い合わせて傘体１４を製造する際においては、一部を弛ませた状態で縫い合わせることで通気口１４ａを設ける構成であってよい。
また、プラスチック製の円筒形部材（図示しない）を複数用意し、これを傘体１４に対して等間隔に貫通させる形で固定することによって通気口１４ａを設ける構成であってもよい。
【００２８】
複数の電波反射膜１６は、環状バルーン１２の内側に取り付けられている。
電波反射膜１６は、環状バルーン１２の膨張によりその外縁部が外方に展張されて、中心Ｏを共有する互いに直交する８つの電波反射領域１８を構成する。
電波反射膜１６は、通気性を有する導電性繊維で形成されている。
導電性繊維は、例えば、ナイロンの繊維に金属膜（銅、銀など）をコーティングしたものであるのがよい。
【００２９】
各電波反射領域１８は、それぞれ互いに直交する３つの電波反射面１６ａを有する。
この例において、電波反射膜１６は、１２枚の扇形（中心角が９０度）の膜からなり、膨張時には平面が互いに直交用に組まれる構造になっている。この構造によって、３つの環状バルーン１２の膨張時には互いに直交する３つの電波反射面１６ａからなる電波反射領域１８が、合計８組設けられることになる。
【００３０】
この例においては、各電波反射膜１６の外周と各環状バルーン１２との間に隙間を有しており、電波反射膜１６と環状バルーン１２とは複数の連結具２１（例えばワイヤ）で接続されている。なお、環状バルーン１２の膨張時において、各電波反射膜１６の外周が環状バルーン１２に密着するように構成してもよい。
【００３１】
ガス供給装置２０は、環状バルーン１２にガスを注入する。
ガス供給装置２０は、加圧ガスを内部に保有するガスボンベ２３、ガスボンベ２３と環状バルーン１２を連通するガス注入管２４、及びガスボンベ２３からのガスの注入を制御するガス制御器２５とを有する。
ガス供給装置２０は、コーナーリフレクタ１０が艦艇等から発射された飛翔体から放出されたことを契機に、環状バルーン１２にガスを注入して膨張させ、同時に傘体１４も展張する。
【００３２】
図３において、コーナーリフレクタ１０は、さらに、上端２２ａが傘体１４に連結され、下端２２ｂがガス供給装置２０に連結された複数の吊索２２を有する。
吊索２２は、例えば、可撓性を有するワイヤ又はロープである。
傘体１４は、吊索２２の上端２２ａと異なる位置で、環状バルーン１２に連結されている。
【００３３】
ガス供給装置２０は、中心軸１７の延長上であって環状バルーン１２の下方に設けられ、環状バルーン１２の膨張時に中心軸１７を鉛直近傍に保持するためのウエイトとして機能する。
すなわち、この例で、ガスボンベ２３とガス制御器２５は、吊索２２により、中心軸１７の延長上の環状バルーン１２の下方に位置し、図３に示す姿勢を維持する姿勢安定用ウエイトとして機能する。
【００３４】
図４は、本発明によるコーナーリフレクタ１０の第１実施形態を示す側面図である。
【００３５】
この例において、３つの環状バルーン１２は、第１環状バルーン１２ａ、第２環状バルーン１２ｂ、及び、第３環状バルーン１２ｃからなる。
第１環状バルーン１２ａは、傘体１４の頂点１５と中心Ｏを結ぶ中心軸１７を含む第１平面上に位置する。
第２環状バルーン１２ｂと第３環状バルーン１２ｃは、中心軸１７に対し１０度以上、８０度以下の平面上に位置する。
この例で、第２環状バルーン１２ｂは、第１環状バルーン１２ａの内側に位置し、第１環状バルーン１２ａと交差する２箇所で、第１環状バルーン１２ａに連結されている。
第３環状バルーン１２ｃは、第１環状バルーン１２ａの外側に位置し、第１環状バルーン１２ａと交差する２箇所で、第１環状バルーン１２ａに連結されている。
【００３６】
図４において、傘体１４は、その頂点１５が１つの環状バルーン１２（この例では第１環状バルーン１２ａ）に対向して位置する。
この例において、頂点１５は、頂点１５に対向しない２つの環状バルーン１２（例えば第２環状バルーン１２ｂ）の平面から、角度θの位置に取り付けられている。この角度θは、この例では、４５度である。
なお、角度θは、１０度以上、８０度以下であることが好ましく、さらに３０度以上、７０度以下であることが好ましく、特に４０度以上、６０度以下であることが好ましい。
【００３７】
図５は、コーナーリフレクタのＲＣＳ特性を示す図である。
ＲＣＳ（Ｒａｄａｒ  Ｃｒｏｓｓ  Ｓｅｃｔｉｏｎ：レーダ反射断面積）は、レーダの反射する大きさを表わしている。
この図において、縦軸はＲＣＳの大きさ（ｄＢ表示）である。また横軸はコーナーリフレクタの回転角度αである。
また、図中における実線は、面間角度が９０度の場合、細い一点鎖線は、面間角度が９０度から０．２５度ずれた場合、太い破線は、面間角度が９０度から０．５度ずれた場合である。
【００３８】
図１におけるＸ軸方向を０度、Ｙ−Ｚ平面上のＹ軸に対し４５度をなす中線１ａの方向を９０度とした場合、回転角度αは、Ｘ軸と中線１ａで構成される平面上のＸ軸となす角度である。
図５において、ＲＣＳの大きさは、１０度以上、８０度以下の範囲で大きく、特に４０度以上、６０度以下で最大値となる。
【００３９】
従来のコーナーリフレクタの場合、鉛直落下時において図１のＺ軸を中心に旋回するので、真横から入射する電波２に対し、図５の回転角度α＝０の姿勢を９０度旋回するごとに繰り返す。
この場合、真横から入射する電波２は、図１のＸ−Ｙ平面に沿って入射するので、図５に示したＲＣＳの大きさより常に小さくなる。
【００４０】
これに対し、図３に示したコーナーリフレクタ１０の場合、真横から入射する電波２は、図１のＸ軸と中線１ａで構成される平面に沿って入射するので、図５に示したＲＣＳが得られる。
【００４１】
上述したコーナーリフレクタ１０の構成により、コーナーリフレクタ１０が降下する場合、傘体１４と環状バルーン１２の間の隙間に空気が入り込み、これによってコーナーリフレクタ１０の降下速度を抑制する。なお、電波反射膜１６が通気性を有するので、電波反射膜１６を通しても空気が傘体１４の内側に流入する。
この場合において、傘体１４の内側に流入した空気は通気口１４ａを通って外部に流出する。
これによって、コーナーリフレクタ１０は、降下する際に、中心軸１７を中心として一定の旋回方向に向けて旋回する。
【００４２】
そのため、傘体１４と環状バルーン１２の間の隙間に空気が入り込みやすくするために、傘体１４を環状バルーン１２に対して密着させない形で取り付ける構成が望ましい。
【００４３】
図５において、実線（面間角度＝９０度）と比較して、細い一点鎖線（面間角度＝９０度±０．２５度）のＲＣＳの低下はわずか（最大で５％未満）であるが、太い破線（面間角度＝９０度±０．５度）のＲＣＳの低下は大きい（最大で約２０〜３０％）。
従って、面間角度（３つの電波反射膜１の相対角度）が、９０度（直交）から０．２５度以上ずれると、コーナーリフレクタの機能（電波反射性能）は大幅に低下することがわかる。
【００４４】
図４において、傘体１４は、第２環状バルーン１２ｂと第３環状バルーン１２ｃとが交差する位置（図に■で示す）で環状バルーン１２に連結されている。
また、吊索２２の上端２２ａは、第１環状バルーン１２ａの第１平面上において、図に●で示す傘体外縁部１４ｃに連結されている。
【００４５】
この例において、傘体１４とガス供給装置２０を連結する吊索２２は４本であり、そのうちの２本の上端２２ａは、第２環状バルーン１２ｂと第３環状バルーン１２ｃとが交差する位置（図に■で示す）の近傍（この例では上部）に固定されている。
なおこの２本の吊索２２は必須ではなく、これを省略することができる。
【００４６】
第２環状バルーン１２ｂと第３環状バルーン１２ｃとが交差する位置（図に■で示す）は、２つの環状バルーン１２によりその位置が保持されているので、傘体１４から受ける外力に対する抗力が大きく、環状バルーン１２の変形を抑制することができる。
【００４７】
また傘体１４とガス供給装置２０を連結する残りの２本の吊索２２の上端２２ａは、図に■で示す位置から周方向に９０度離れている。
従って、ガス供給装置２０の重量により傘体１４の一部（図に●で示す位置）が変形しても、環状バルーン１２に連結された傘体１４の位置（図に■で示す位置）は、傘体１４が柔軟性を有するためほとんど変形しない。
【００４８】
さらにこの例において、２本の吊索２２の中間部が位置する第２環状バルーン１２ｂと第３環状バルーン１２ｃの外縁部に、吊索ガイド１１が固定されている。吊索ガイド１１は、吊索２２が抵抗無く通過できる中空穴を有する円筒形部材であり、その中空穴を通して吊索２２をガス供給装置２０に向けて案内する。
この構成により、ガス供給装置２０の位置を環状バルーン１２に近づけることができ、コーナーリフレクタ１０の収容を容易にできる。
【００４９】
また、第２環状バルーン１２ｂと第３環状バルーン１２ｃには、吊索ガイド１１を介して中心０に向かう方向に外力を受けるが、この力は吊索２２の張力の一部（分力）であり小さい。さらに２つの環状バルーン１２により吊索ガイド１１は、それぞれその位置が保持されているので、吊索ガイド１１から受ける外力に対する抗力が大きく、環状バルーン１２の変形を抑制することができる。
【００５０】
以上の構成により、ガス供給装置２０の重量により傘体１４の一部（図に●で示す位置）が変形しても、３つの電波反射膜１の相対角度（面間角度）が、９０度（直交）からずれるのを防止し、コーナーリフレクタ１０の機能（電波反射性能）を高く維持することができる。
【００５１】
また、図３に示すように、傘体１４に切れ目を設けることにより、ガス供給装置２０の重量により傘体１４の一部（図３に●で示す位置）が変形しても、環状バルーン１２への影響をさらに小さくできる。
【００５２】
図６は、本発明によるコーナーリフレクタ１０の第２実施形態を示す側面図である。
【００５３】
図６において、吊索２２の上端２２ａは、第２環状バルーン１２ｂと第３環状バルーン１２ｃとが交差する位置又はその上方（図に●で示す位置）で傘体１４に連結されている。
また傘体１４は、第１環状バルーン１２ａの第１平面上において、第１環状バルーン１２ａの外周部（図に■で示す）に連結されている。
その他の構成は、第１実施形態と同様である。
【００５４】
上述の構成により、ガス供給装置２０の重量により傘体１４の一部（図に●で示す位置）が変形しても、環状バルーン１２に連結された傘体１４の位置（図に■で示す位置）は、傘体１４が柔軟性を有するためほとんど変形しない。
また、３つの環状バルーン１２はそれぞれガス圧によりその位置が保持されているので、傘体１４から受ける外力に対する抗力が大きく、環状バルーン１２の変形を抑制することができる。
従って、３つの電波反射膜１の相対角度（面間角度）が、９０度（直交）からずれるのを防止し、コーナーリフレクタの機能（電波反射性能）を高く維持することができる。
【００５５】
図７は、上述したコーナーリフレクタ１０の作動シーケンス図である。
この図に示すように、コーナーリフレクタ１０は、飛しょう体に格納され、ランチャにより発射されて飛しょうし（ステップＡ）、次いで、空中に放出される（ステップＢ）。
空中に放出されたコーナーリフレクタ１０は、環状バルーン１２を膨張させ（リフレクタ膨張：ステップＣ）、図３の姿勢で降下しながら旋回し（ステップＤ）、降下中にミサイルに対するおとり（デコイ）として機能する（ステップＥ）。
【００５６】
上述した本発明の実施形態によれば、パラシュート１３が、環状バルーン１２の降下を遅らせるので、コーナーリフレクタ１０が空中浮遊時間を長くできる。
【００５７】
また、パラシュート１３は、吊索２２の上端２２ａと異なる位置で環状バルーン１２に連結されているので、ガス供給装置２０の重量によりパラシュート１３の一部が変形しても、環状バルーン１２に連結されたパラシュート１３の位置は、パラシュート１３が柔軟性を有するためほとんど変形しない。
これにより、環状バルーン１２及びその内側に取り付けられた複数の電波反射膜１６の変形を抑えることができ、電波反射性能の低下を抑制することができる。
【００５８】
従って、環状バルーン１２及び電波反射膜１６を、強度と剛性の低い軽量材で構成することができ、空中浮遊時間を長くでき、軽量化が可能であり、かつ電波反射性能の低下を抑制することができる。
【００５９】
さらに、パラシュート１３は、吊索２２の上端２２ａと異なる位置で、環状バルーン１２に連結されているので、ガス供給装置２０の重量によりパラシュート１３の一部が変形しても、環状バルーン１２に連結されたパラシュート１３の位置は変形しない。
従って、本発明によれば、空中浮遊時間を長くでき、軽量化が可能であり、かつ電波反射性能の低下を抑制することができる。
【００６０】
本発明は上述した実施の形態に限定されず、本発明の要旨を逸脱しない範囲で種々変更を加え得ることは勿論である。
【符号の説明】
【００６１】
ｄ  直径、Ｏ  中心、１  電波反射膜、１ａ  中線、２  電波、
３  レーダデコイ、４  キャノピー、４ａ  頂点、４ｂ  直径、４ｃ  外周部、
５  パラシュート、６  底部開口、７  吊下げライン、７ａ  上端部、
７ｂ  下端部、８  吊下げ錘、９  レーダ反射板、１０  コーナーリフレクタ、
１１  吊索ガイド、１２  環状バルーン、１２ａ  第１環状バルーン、
１２ｂ  第２環状バルーン、１２ｃ  第３環状バルーン、
１３  パラシュート、１４  傘体、１４ａ  通気口、１５  頂点、
１６  電波反射膜、１６ａ  電波反射面、１７  中心軸、１８  電波反射領域、
２０  ガス供給装置、２１  連結具（ワイヤ）、２２  吊索、２２ａ  上端、
２２ｂ  下端、２３  ガスボンベ、２４  ガス注入管、２５  ガス制御器
【図１】
2019100614.tif 000003
【図２】
2019100614.tif 000004
【図３】
2019100614.tif 000005
【図４】
2019100614.tif 000006
【図５】
2019100614.tif 000007
【図６】
2019100614.tif 000008
【図７】
2019100614.tif 000009